(57)【要約】【課題】  オッズ順投票および既存の賭式に対応するファンが購入しやすい投票用マークカードを提供し、運用コストの低減をはかると共にエコロジーに寄与するようにする。【解決手段】  本考案の投票用マークカードは、競輪、競馬、競艇、オートレース等の各種公営競技に対する連勝式の投票券を購入するための投票用マークカードであって、連勝式投票であるかオッズ順投票であるかを指定するためのオッズ投票記入エリア１１と、連勝式投票の着順の組み合わせを指定するための着順番号記入エリアおよびオッズ順位を指定するためのオッズ順位記入エリアを兼用する兼用記入エリア６−１，６−２，６−３と、兼用記入エリア６−１，６−２，６−３で指定した投票内容に対する投票券購入金額を指定するための購入金額記入エリア７および購入金額単位記入エリア８等を備える。【選択図】図１
0003116216.tif 000002
【実用新案登録請求の範囲】
【請求項１】
競輪、競馬、競艇、オートレース等の各種公営競技に対する連勝式の投票券を購入するための投票用マークカードであって、
連勝式投票であるかオッズ順投票であるかを指定するための投票種別記入エリアと、連勝式投票の着順の組み合わせを指定するための着順番号記入エリアおよびオッズ順位を指定するためのオッズ順位記入エリアを兼用する兼用記入エリアと、前記兼用記入エリアで指定した投票内容に対する投票券購入金額を指定するための購入金額記入エリアとを備えることを特徴とする投票用マークカード。
【請求項２】
競輪、競馬、競艇、オートレース等の各種公営競技に対する投票券を購入するための投票用マークカードであって、
オッズ順位を指定するための３桁のオッズ順位記入エリアと、前記オッズ順位記入エリアで指定した投票内容に対する投票券購入金額を指定するための購入金額記入エリアとを複数組備えることを特徴とする投票用マークカード。
【請求項３】
競輪、競馬、競艇、オートレース等の各種公営競技に対する連勝式の投票券を購入するための投票用マークカードであって、
連勝式投票であるかオッズ順投票であるかを指定するための投票種別記入エリアと、連勝式投票の着順の組み合わせを指定するための着順番号記入エリアおよびオッズ順位を指定するためのオッズ順位記入エリアを兼用する２つの兼用記入エリアと、前記２つの兼用記入エリアで指定した投票内容に対する同一の投票券購入金額を一括指定するための購入金額記入エリアとを備えることを特徴とする投票用マークカード。
【請求項４】
前記２つの兼用記入エリアでそれぞれオッズ上限順位およびオッズ下限順位を指定した場合、前記オッズ上限順位およびオッズ下限順位間の全オッズ順位が指定されるようにしたことを特徴とする請求項３記載の投票用マークカード。
【考案の詳細な説明】
【技術分野】
【０００１】
本考案は、競輪、競馬、競艇、オートレース等の各種公営競技に対する投票券を購入するための投票用マークカードに関するものであり、特に、前記各種公営競技に対する連勝式投票およびオッズ順投票の双方に兼用可能な投票用マークカードに関するものである。
【背景技術】
【０００２】
近年、競輪、競馬、競艇、オートレース等の各種公営競技においても全国的な不景気の煽りを受け、売上低迷の状況にある。
その対策として、現在各種公営競技場で発行され通用している連勝複式投票券等の既存の賭式とは異なる新しい賭式を導入することにより、ファンの拡大および売上向上を図ろうとしており、その一環として、３連勝式の賭式の投票券を発売している。
【０００３】
３連勝式は、競艇の場合を例に取ると、１レースの出走艇が通常６艇なので、３連勝単式では１２０通りの組み合わせの投票が可能な賭式である。そのため、必然的に高額配当が出ることになり、ファンの購買欲を促進する結果となっている。更なるファンの購買欲を促進するためには、投票券の新しい購入方法を導入する必要がある。
【０００４】
高額配当を期待し得る投票券の新しい購入方法としては、オッズ順投票がある。オッズ順投票とは、上記競艇の場合を例に取ると、３連勝単式の投票券を購入する際に１着、２着、３着の艇番号を指定する代わりにファンが希望するオッズ順を指定して３連勝単式の投票券を購入するものであり、例えば全部で１２０通りの組番があるレースのオッズ順位１２０番を指定した場合にその投票券が的中すると、高額配当となる。
【考案の開示】
【考案が解決しようとする課題】
【０００５】
オッズ順投票のような新しい購入方式を導入する場合、高額配当の組番を購入しやすくなる反面、的中する確率は低くなるため、投票券を購入するファンは１つの組番（以下１ベットという）当りの購入金額を抑えて、多数のベットを購入する傾向が顕著になっている。
オッズ順投票等により多数のベットを購入する際には、現行の購入用マークカードを用いて投票する場合、投票用マークカードに多数のベットを一度に記入する必要があるため、ファン自身の頭の中が混乱して、購入しようと考えていた組番の買い忘れや重複が発生しやすくなるので困るという声があがっていた。また、オッズ順投票等により多数のベットを購入する際には、ファン自身がオッズ順および組番等の投票内容を確認して投票用マークカードに記入する必要があるため、「簡易な方法でオッズ順位投票券を購入したい」との要望もあがっていた。
そこで、記入数の削減によりファン自身の混乱を防止するとともに、オッズ順投票等の新しい購入方式に対応し得る投票用マークカードレイアウトの開発が望まれている。
【０００６】
本考案は、オッズ順投票等の新購入方式を導入するにあたり、ファンが購入しやすい投票用マークカードを提供することを第１の目的とする。
本考案は、オッズ順投票等の新購入方式に加えて既存の他の賭式にも対応させることにより、マークカード用紙の使用量を削減し、運用コストの低減をはかると共にエコロジーに寄与するようにした投票用マークカードを提供することを第２の目的とする。
【課題を解決するための手段】
【０００７】
上記第２の目的を達成するため、請求項１に記載の第１考案は、競輪、競馬、競艇、オートレース等の各種公営競技に対する連勝式の投票券を購入するための投票用マークカードであって、連勝式投票であるかオッズ順投票であるかを指定するための投票種別記入エリアと、連勝式投票の着順の組み合わせを指定するための着順番号記入エリアおよびオッズ順位を指定するためのオッズ順位記入エリアを兼用する兼用記入エリアと、前記兼用記入エリアで指定した投票内容に対する投票券購入金額を指定するための購入金額記入エリアとを備えることを特徴とする。
【０００８】
上記第１の目的を達成するため、請求項２に記載の第２考案は、競輪、競馬、競艇、オートレース等の各種公営競技に対する投票券を購入するための投票用マークカードであって、オッズ順位を指定するための３桁のオッズ順位記入エリアと、前記オッズ順位記入エリアで指定した投票内容に対する投票券購入金額を指定するための購入金額記入エリアとを複数組備えることを特徴とする。
【０００９】
上記第２の目的を達成するため、請求項３に記載の第３考案は、競輪、競馬、競艇、オートレース等の各種公営競技に対する連勝式の投票券を購入するための投票用マークカードであって、連勝式投票であるかオッズ順投票であるかを指定するための投票種別記入エリアと、連勝式投票の着順の組み合わせを指定するための着順番号記入エリアおよびオッズ順位を指定するためのオッズ順位記入エリアを兼用する２つの兼用記入エリアと、前記２つの兼用記入エリアで指定した投票内容に対する同一の投票券購入金額を一括指定するための購入金額記入エリアとを備えることを特徴とする。
【００１０】
請求項４に記載の第４考案は、前記２つの兼用記入エリアでそれぞれオッズ上限順位およびオッズ下限順位を指定した場合、前記オッズ上限順位およびオッズ下限順位間の全オッズ順位が指定されるようにしたことを特徴とする。
【考案の効果】
【００１１】
第１考案によれば、競輪、競馬、競艇、オートレース等の各種公営競技に対する連勝式の投票券を購入するための本考案の投票用マークカードは、連勝式投票であるかオッズ順投票であるかを指定するための投票種別記入エリアと、連勝式投票の着順の組み合わせを指定するための着順番号記入エリアおよびオッズ順位を指定するためのオッズ順位記入エリアを兼用する兼用記入エリアと、前記兼用記入エリアで指定した投票内容に対する投票券購入金額を指定するための購入金額記入エリアとを備えるから、オッズ順投票に加えて既存の購入方法である連勝式投票にも対応するものとなり、マークカード用紙の使用量を削減し、運用コストの低減をはかると共にエコロジーに寄与することができる。
【００１２】
第２考案によれば、競輪、競馬、競艇、オートレース等の各種公営競技に対する投票券を購入するための本考案の投票用マークカードは、オッズ順位を指定するための３桁のオッズ順位記入エリアと、前記オッズ順位記入エリアで指定した投票内容に対する投票券購入金額を指定するための購入金額記入エリアとを複数組備えるから、新購入方式であるオッズ順投票を導入するにあたり、ファンが購入しやすい投票用マークカードとなる。
【００１３】
第３考案によれば、競輪、競馬、競艇、オートレース等の各種公営競技に対する連勝式の投票券を購入するための本法案の投票用マークカードは、連勝式投票であるかオッズ順投票であるかを指定するための投票種別記入エリアと、連勝式投票の着順の組み合わせを指定するための着順番号記入エリアおよびオッズ順位を指定するためのオッズ順位記入エリアを兼用する２つの兼用記入エリアと、前記２つの兼用記入エリアで指定した投票内容に対する同一の投票券購入金額を一括指定するための購入金額記入エリアとを備えるから、オッズ順投票に加えて既存の購入方法である連勝式投票にも対応するものとなり、マークカード用紙の使用量を削減し、運用コストの低減をはかると共にエコロジーに寄与することができる。
【００１４】
第４考案によれば、前記２つの兼用記入エリアでそれぞれオッズ上限順位およびオッズ下限順位を指定した場合、前記オッズ上限順位およびオッズ下限順位間の全オッズ順位が指定されるようにしたから、所望の範囲のオッズ順投票券を一度に購入することができるようになり、ファンが購入しやすい投票用マークカードとなる。
【考案を実施するための最良の形態】
【００１５】
以下、本考案を実施するための最良の形態を図面に基づき詳細に説明する。
【００１６】
図１は本考案の第１実施形態の投票用マークカードの構成を例示する図である。図１に示す第１実施形態の投票用マークカードは、既存の連勝式投票券の購入と、オッズ順投票券の購入とを兼用可能に構成されており、読取エリア認識用タイミングバー１と、マークカード識別バー２と、賭式記入エリア３と、開催場記入エリア４と、レース記入エリア５と、兼用記入エリア６−１，６−２，６−３と、購入金額記入エリア７と、購入金額単位記入エリア８と、該当組番取消し記入エリア９と、前日発売記入エリア１０と、オッズ投票記入エリア１１とを具備して成る。
【００１７】
上記読取エリア認識用タイミングバー１は、投票用マークカードの読取エリアを認識するためのバーであり、上記マークカード識別バー２は、正規の投票用マークカードであることを識別するためのバーである。
上記賭式記入エリア３は、所定の連勝式賭式（図示例では、２枠複、２枠単、２連複、２連単、３連複、３連単、ワイド）の中から、ファンが希望する連勝式賭式に該当する丸印内を塗りつぶすことにより、投票券を購入する賭式を記入するエリアである。上記において、３連単とは、１着〜３着までを着順通り的中させる３連勝単式の賭式であり、３連複とは、１着〜３着までを順不同で的中させる３連勝複式の賭式である。なお、上記賭式記入エリア３には、図示例以外の賭式(例えば単勝・複勝・６連単・６連複など)を記載することも可能である。
上記開催場記入エリア４は、ファンが希望する開催場に該当する番号の丸印内を塗りつぶすことにより、投票券を購入する開催場を記入するエリアであり、レース記入エリア５は、ファンが希望するレース番号に該当する丸印内を塗りつぶすことにより、投票券を購入するレースを記入するエリアである。なお、上記開催場記入エリア４には、図示例以外の開催場番号（例えば１００場）を記載することも可能である。
【００１８】
上記兼用記入エリア６−１，６−２，６−３は、本考案で初めて導入した記入エリアであり、連勝式投票券を購入する場合には、それぞれが「１着、２着、３着の着順番号記入エリア」として機能し、オッズ順投票券を購入する場合には、それぞれが「オッズ順位の１００の位、１０の位、１の位の数字の組み合わせであるオッズ順位記入エリア」として機能するようになっており、図示例では４組の兼用記入エリア６−１，６−２，６−３が設けられている。兼用記入エリア６−１，６−２，６−３を用いて、オッズ順位の１位から９９９位までの所望のオッズ順位を選択することができ、例えば兼用記入エリア６−１で「１」を塗りつぶし、兼用記入エリア６−２で「２」を塗りつぶし、兼用記入エリア６−３で「０」を塗りつぶした場合には、オッズ順位１２０位の投票券を選択することができる。
【００１９】
上記購入金額記入エリア７および上記購入金額単位記入エリア８は、ファンが希望する購入金額に該当する組み合わせになる番号の丸印内を塗りつぶすことにより、当該投票券の購入金額を記入するエリアであり、上記該当組番取消し記入エリアは、当該投票券の購入を取り消す際に記入するエリアであり、上記前日発売記入エリア１０は、前日発売の投票券を購入する場合にファンが塗りつぶすエリアであり、上記オッズ投票記入エリア１１は、オッズ順投票券を購入する場合は塗りつぶし、連勝式投票券を購入する場合は塗りつぶさないことにより、上記兼用記入エリア６−１，６−２，６−３の投票内容が連勝式投票であるかオッズ順投票であるかを指定するための投票種別記入エリアである。
【００２０】
次に、本実施形態の投票用マークカードを用いる投票券の購入方法について説明する。本実施形態の投票用マークカードは、連勝式等の既存の投票券の購入方式は勿論、新購入方式であるオッズ順投票券の購入も可能なレイアウトに構成されている。なお、図１において、４組の兼用記入エリア６−１，６−２，６−３の上部に記載されている「１着／１００の位」、「２着／１０の位」、「３着／１の位」をそれぞれ、「１００の位」、「１０の位」、「１の位」に変更するとともに、オッズ投票記入エリア１１を省略したレイアウトとした場合には、オッズ順専用の投票用マークカードとすることができる。
【００２１】
（１）連勝式投票券の購入
図１に示す第１実施形態の投票用マークカードは、最大４組の連勝式投票券の購入が可能であるので（最大数は、投票用マークカードのレイアウトにより増加可能である）、賭式記入エリア３と、開催場記入エリア４と、レース記入エリア５と、兼用記入エリア６−１，６−２，６−３と、購入金額記入エリア７と、購入金額単位記入エリア８とを用いて、ファンが希望する連勝式投票券の投票内容を記入することにより、例えば兼用記入エリア６−１，６−２，６−３、購入金額記入エリア７および購入金額単位記入エリア８によって着順および金額の組み合わせを最大４組指定した場合、賭式記入エリア３、開催場記入エリア４およびレース記入エリア５で指定した賭式・開催場・レースの、全ての組み合わせの投票券が発行される（ただし、読取り装置側で、存在しない組み合わせは除外される）。
【００２２】
これにより、ファンは、連勝式投票券の購入時には、この１枚の投票用マークカードに希望する投票内容を記入するだけで、最大４組（この最大数は、投票用マークカードのレイアウトにより増加可能である）の連勝式投票を行うことができるようになる。そのため、ファンの記入回数が減少して投票券が買いやすくなるとともに、投票券の買い忘れや重複購入を防止することが可能になる。
【００２３】
（２）オッズ順投票券の購入
図１に示す第１実施形態の投票用マークカードは、最大４組のオッズ順投票券の購入が可能であるので（最大数は、投票用マークカードのレイアウトにより増加可能である）、賭式記入エリア３と、開催場記入エリア４と、レース記入エリア５と、兼用記入エリア６−１，６−２，６−３と、購入金額記入エリア７と、購入金額単位記入エリア８と、オッズ投票記入エリア１１とを用いて、ファンが希望するオッズ順投票券の投票内容を記入することにより、例えば兼用記入エリア６−１，６−２，６−３、購入金額記入エリア７および購入金額単位記入エリア８によってオッズ順位および金額の組み合わせを最大４組指定した場合、賭式記入エリア３、開催場記入エリア４およびレース記入エリア５で指定した賭式・開催場・レースの全ての組み合わせの、指定したオッズ順位の投票券が発行される（ただし、読取り装置側で、存在しない組み合わせは除外される）。
【００２４】
これにより、ファンは、オッズ順投票券の購入時には、この１枚の投票用マークカードに希望する投票内容を記入するだけで、最大４組（この最大数は、投票用マークカードのレイアウトにより増加可能である）のオッズ順投票を行うことができるようになる。そのため、ファンの記入回数が減少して投票券が買いやすくなるとともに、投票券の買い忘れや重複購入を防止することが可能になる。
【００２５】
（３）前日発売の連勝式投票券の購入
図１に示す第１実施形態の投票用マークカードは、最大４組の連勝式投票券の購入が可能であるので（最大数は、投票用マークカードのレイアウトにより増加可能である）、賭式記入エリア３と、開催場記入エリア４と、レース記入エリア５と、兼用記入エリア６−１，６−２，６−３と、購入金額記入エリア７と、購入金額単位記入エリア８と、前日発売記入エリア１０とを用いて、ファンが希望する前日発売の連勝式投票券の投票内容を記入することにより、例えば兼用記入エリア６−１，６−２，６−３、購入金額記入エリア７および購入金額単位記入エリア８によって着順および金額の組み合わせを最大４組指定した場合、賭式記入エリア３、開催場記入エリア４およびレース記入エリア５で指定した賭式・開催場・レースの、全ての組み合わせの前日発売の投票券が発行される（ただし、読取り装置側で、存在しない組み合わせは除外される）。
【００２６】
これにより、ファンは、前日発売の連勝式投票券の購入時には、この１枚の投票用マークカードに希望する投票内容を記入するだけで、最大４組（この最大数は、投票用マークカードのレイアウトにより増加可能である）の前日発売の連勝式投票を行うことができるようになる。そのため、ファンの記入回数が減少して投票券が買いやすくなるとともに、投票券の買い忘れや重複購入を防止することが可能になる。
【００２７】
図２は本考案の第２実施形態の投票用マークカードの構成を例示する図である。図２に示す第２実施形態の投票用マークカードは、既存の連勝式投票券の購入と、オッズ順投票券の購入とを兼用可能に構成されており、読取エリア認識用タイミングバー１と、マークカード識別バー２と、賭式記入エリア３と、開催場記入エリア４と、レース記入エリア５と、兼用記入エリア６−１１，６−１２，６−１３と、購入金額記入エリア７と、購入金額単位記入エリア８と、該当組番取消し記入エリア９と、前日発売記入エリア１０と、オッズ投票記入エリア１１と、ボックス記入エリア１２とを具備して成る。
【００２８】
上記兼用記入エリア６−１１，６−１２，６−１３は、上記第１実施形態の投票用マークカードの兼用記入エリア６−１，６−２，６−３のそれぞれに、「全通り」の選択肢を追加したものであり、図示例では２組の兼用記入エリア６−１１，６−１２，６−１３が設けられている。「全通り」は、ある番号の枠番（馬番、船番）を中心にして、そこから他の枠（馬、船）との組み合わせの全てを購入する「ながし投票」を行う場合に使用するものであり、例えば、１着に対応する兼用記入エリア６−１の１を塗りつぶし、２着に対応する兼用記入エリア６−２の「全通り」を塗りつぶした場合には、１−１，１−２，１−３，・・という１枠または１番に絡む全ての投票券を購入することができる。
上記ボックス記入エリア１２は、ボックス買い（３つ以上の番号を選択し、それらの番号の全ての組み合わせの投票券を購入する投票方式）をする際に、ファンが希望する３つ以上の番号の丸印内を塗りつぶすことにより、ボックス買いする投票券の投票内容を記入するエリアである。
なお、本実施形態の投票用マークカードの購入金額記入エリア７および購入金額単位記入エリア８は１組しか設けられていないので、全ての投票券の購入金額として同一金額を指定することになる。
【００２９】
次に、本実施形態の投票用マークカードを用いる投票券の購入方法について説明する。本実施形態の投票用マークカードは、ボックス買い等の既存の投票券の購入方式は勿論、新購入方式であるオッズ順投票券の購入も可能なレイアウトに構成されている。
（ａ）ながし投票券／ボックス投票券／全通り投票券の購入
図２に示す第２実施形態の投票用マークカードは、兼用記入エリア６−１１，６−１２，６−１３を分離して使用する場合は最大２組の連勝式投票券の購入が可能であり（最大数は、投票用マークカードのレイアウトにより増加可能である）、兼用記入エリア６−１１，６−１２，６−１３をながし投票／全通り投票に使用する場合は所望のながし投票／全通りの連勝式投票券の購入が可能であるので、賭式記入エリア３と、開催場記入エリア４と、レース記入エリア５と、兼用記入エリア６−１１，６−１２，６−１３と、購入金額記入エリア７と、購入金額単位記入エリア８とを用いて、ファンが希望する連勝式投票券の投票内容を記入することにより、例えば兼用記入エリア６−１１，６−１２，６−１３、購入金額記入エリア７および購入金額単位記入エリア８によって１着および２着全通り、３着全通りならびに金額の組み合わせを２組指定した場合、賭式記入エリア３、開催場記入エリア４およびレース記入エリア５で指定した賭式・開催場・レースの、全ての組み合わせのながし投票券が発行され（ただし、読取り装置側で、存在しない組み合わせは除外される）、賭式記入エリア３と、開催場記入エリア４と、レース記入エリア５と、兼用記入エリア６−１１，６−１２，６−１３と、購入金額記入エリア７と、購入金額単位記入エリア８とを用いて、例えば兼用記入エリア６−１１，６−１２，６−１３、購入金額記入エリア７および購入金額単位記入エリア８によって１着全通り、２着全通り（および３着全通り）ならびに金額の組み合わせを指定した場合、あるいは、ボックス記入エリア１２内の数字１〜９の全てを塗りつぶしして金額の組み合わせを指定した場合、賭式記入エリア３、開催場記入エリア４およびレース記入エリア５で指定した賭式・開催場・レースの、全通りの投票券が発行される（ただし、読取り装置側で、存在しない組み合わせは除外される）。
【００３０】
これにより、ファンは、連勝式投票券であるながし投票券／ボックス投票券／全通り投票券の購入時には、この１枚の投票用マークカードに希望する投票内容を記入するだけで、所望のながし投票／ボックス投票／全通り投票を行うことができるようになり、例えば競艇の場合、ファンは、従来であれば１２０ベット分の記入が必要であった全通り投票券の購入を、本実施形態の投票用マークカードへの１回の記入で済ますことができるようになる。そのため、ファンの記入回数が減少して投票券が買いやすくなる。
【００３１】
（ｂ）オッズ順投票券の購入
図２に示す第２実施形態の投票用マークカードは、２組の兼用記入エリア６−１１，６−１２，６−１３をそれぞれオッズ上限順位およびオッズ下限順位の指定に使用する場合はオッズ上限順位およびオッズ下限順位間の全オッズ順位のオッズ順投票券の購入が可能であるので、賭式記入エリア３と、開催場記入エリア４と、レース記入エリア５と、兼用記入エリア６−１１，６−１２，６−１３と、購入金額記入エリア７と、購入金額単位記入エリア８と、オッズ投票記入エリア１１とを用いて、ファンが希望するオッズ順投票券の投票内容を記入することにより、例えば兼用記入エリア６−１１，６−１２，６−１３、購入金額記入エリア７および購入金額単位記入エリア８によってオッズ上限順位、オッズ下限順位および金額の組み合わせを指定した場合、賭式記入エリア３、開催場記入エリア４およびレース記入エリア５で指定した賭式・開催場・レースの、オッズ上限順位およびオッズ下限順位間の全オッズ順位のオッズ順投票券が発行される（ただし、読取り装置側で、存在しない組み合わせは除外される）。
【００３２】
これにより、ファンは、オッズ順投票券の購入時には、この１枚の投票用マークカードに希望する投票内容を記入するだけで、オッズ上限順位およびオッズ下限順位間の全オッズ順位のオッズ順投票を行うことができるようになる。そのため、ファンの記入回数が減少して投票券が買いやすくなるとともに、投票券の買い忘れや重複購入を防止することが可能になる。
【図面の簡単な説明】
【００３３】
【図１】本考案の第１実施形態の投票用マークカードの構成を例示する図である。
【図２】本考案の第２実施形態の投票用マークカードの構成を例示する図である。
【符号の説明】
【００３４】
１  読取エリア認識用タイミングバー
２  マークカード識別バー
３  賭式記入エリア
４  開催場記入エリア
５  レース記入エリア
６−１，６−２，６−３  兼用記入エリア
６−１１，６−１２，６−１３  兼用記入エリア
７  購入金額記入エリア
８  購入金額単位記入エリア
９  該当組番取消し記入エリア
１０  前日発売記入エリア
１１  オッズ投票記入エリア
１２  ボックス記入エリア
【図１】
0003116216.tif 000003
【図２】
0003116216.tif 000004